(57)【要約】【課題】好ましい被服圧を生じることができ、着用するだけで優れた皮膚マッサージ効果を付与することができる弾性編み生地及び該弾性編み生地を用いた下着を提供すること【解決手段】弾性繊維が交編されて形成されてなり、該弾性繊維の太さが５０〜１００デニールであることを特徴とする弾性編み生地、或いは編み生地表面に凹凸部が形成されてなり、該凸部の弾性が該凹部の弾性よりも大きいことを特徴とする弾性編み生地とする。またこれらの弾性編み生地を含有する編み生地から形成されてなることを特徴とする下着とする。【選択図】  図１
2004323996.tif 000002
【特許請求の範囲】
【請求項１】
弾性繊維が交編されて形成されてなり、該弾性繊維の太さが５０〜１００デニールであることを特徴とする弾性編み生地。
【請求項２】
編み生地表面に凹凸部が形成されてなり、該凸部の弾性が該凹部の弾性よりも大きいことを特徴とする弾性編み生地。
【請求項３】
前記凹凸部が編み生地表面の一方の面にのみ形成されていることを特徴とする請求項２に記載の弾性編み生地。
【請求項４】
皮膚又は鼻腔から吸収されることによって、脂肪燃焼を促進、または脂肪吸収を抑制することができる成分が付着されていることを特徴とする請求項１乃至３のいずれかに記載の弾性編み生地。
【請求項５】
請求項１乃至４のいずれかに記載の弾性編み生地を含有する編み生地から形成されてなることを特徴とする下着。
【発明の詳細な説明】
【０００１】
【発明の属する技術分野】
本発明は弾性編み生地及び該弾性編み生地を用いた下着に関し、その目的は、好ましい被服圧を生じることができ、着用するだけで優れた皮膚マッサージ効果を付与することができる弾性編み生地及び該弾性編み生地を用いた下着を提供することにある。
【０００２】
【従来の技術】
年齢を重ねるとともに、腹部、臀部、大腿部などに皮下脂肪がついて、身体のシルエットが崩れ、美しいボディーラインを保持することができない。このために、補正用下着を着用することが行われている。
【０００３】
着用するだけで脂肪燃焼を促進するように、皮膚のマッサージ効果が得られる補正用下着が提案されている。
例えば、特許文献１には、臀部、尻及び腿を含む領域を有し、該領域が、適度な圧縮を生じ、かくして、臀部、尻及び腿にマッサージ作用と爽快作用を生ずるように、平メッシュの編み面に対して浮き上がった交互の波型を有するタックステッチメッシュによって形成されたガードルが記載されている。
【０００４】
【特許文献１】
特許第３２０７８０８号公報
【０００５】
【発明が解決しようとする課題】
しかしながら、上記した皮膚マッサージ効果が得られる下着には以下のような問題が存在した。
上記した下着には生地の表面に浮き上がった交互の波型が形成されており、この波型によって皮膚マッサージ効果を生じることができる。しかし、波型が形成されていることによって、皮膚に凸凹の跡が残り易いといった問題があった。また生地に形成された波型が皮膚に密着して擦れるために、皮膚が乾燥し易く、肌に弱い人には皮膚トラブルの原因となった。
さらには、上記した下着は、着用して歩行したり動いたりしているときには、皮膚マッサージ効果が得られるが、長時間座っているときのように運動していない場合は、皮膚マッサージ効果を得ることができなかった。
【０００６】
上記した下着は、生地の両面に波型が形成されている。波型が下着の表面側にも形成されているために、例えば、スリムジーンズなどの下着のシルエットが気になる服の下に着用する場合、ガードルの波型が目立つといった問題が存在した。
【０００７】
【課題を解決するための手段】
本発明は上記課題を解決するためになされたものであって、請求項１に係る発明は、弾性繊維が交編されて形成されてなり、該弾性繊維の太さが５０〜１００デニールであることを特徴とする弾性編み生地に関する。
請求項２に係る発明は、編み生地表面に凹凸部が形成されてなり、該凸部の弾性が該凹部の弾性よりも大きいことを特徴とする弾性編み生地に関する。
請求項３に係る発明は、前記凹凸部が編み生地表面の一方の面にのみ形成されていることを特徴とする請求項２に記載の弾性編み生地に関する。
請求項４に係る発明は、皮膚又は鼻腔から吸収されることによって、脂肪燃焼を促進、または脂肪吸収を抑制することができる成分が付着されていることを特徴とする請求項１乃至３のいずれかに記載の弾性編み生地に関する。
請求項５に係る発明は、請求項１乃至４のいずれかに記載の弾性編み生地を含有する編み生地から形成されてなることを特徴とする下着に関する。
【０００８】
【発明の実施の形態】
以下、本発明に係る弾性編み生地及び該編み生地を用いた下着について説明する。本発明の第一実施形態に係る弾性編み生地は、基本編地の全幅にわたって弾性繊維が交編されて弾性編み生地が形成されている。
第一実施形態に係る弾性編み生地は、平編み、ゴム編み、パール編みなどを第一実施形態に係る弾性編み生地の基本編地とすることができ、好ましくは平編みを第一実施形態に係る弾性編み生地の基本編地とする。
【０００９】
第一実施形態に係る弾性編み生地は、その全幅にわたって弾性繊維が交編されて形成されている。弾性繊維としては、ポリウレタン弾性繊維が用いられる。
ポリウレタン弾性繊維としては、通常のポリウレタン弾性繊維よりも太い繊維が用いられ、通常のポリウレタン弾性繊維の約２〜３倍程度の太さのポリウレタン弾性繊維が用いられる。具体的には、太さが５０〜１００デニール、好ましくは６０〜８０デニールのポリウレタン弾性繊維が用いられる。
通常の太さのポリウレタン弾性繊維よりも太いポリウレタン弾性繊維を用いて交編することによって、第一実施形態に係る弾性編み生地を適度な弾性を有する編み生地とすることができる。
【００１０】
第一実施形態に係る弾性編み生地において、弾性繊維は弾性編み生地全体の５〜３０重量％、好ましくは１０〜２０重量％程度用いられる。
弾性繊維とともに編み生地を構成することができる繊維は特に限定されないが、綿、レーヨン、ナイロン、ポリエステル等を例示することができ、これらのうちの一種又は二種以上を用いることができる。
【００１１】
第一実施形態に係る弾性編み生地を５０％引き伸ばした際の荷重値（幅１ｃｍ当り）は特に限定されないが、第一実施形態に係る弾性編み生地を経方向に引き伸ばした場合、０．５０〜５．００Ｎ、好ましくは０．６０〜３．００Ｎとされる。
また第一実施形態に係る弾性編み生地を横方向に引き伸ばした場合、１．００〜４．００Ｎ、好ましくは１．２０〜２．５０Ｎとされる。
５０％引き伸ばし時の荷重値（幅１ｃｍ当り）を上記のような範囲内とすることで、適度は被服圧を有する弾性編み生地とすることができる。
【００１２】
第一実施形態に係る弾性編み生地は、適度な被服圧を生じることができ、これによって適度な皮膚マッサージ効果が得られる。
第一実施形態に係る弾性編み生地の表面には波型のような凹凸が形成されていないので、皮膚の弱い人であっても安心して使用することができる。また凹凸が形成されていないので、目立ちにくくスリムジーンズのようなタイトな洋服を着用する場合でも使用することができる。
【００１３】
次に、本発明の第二実施形態に係る弾性編み生地について、図面を参照しつつ説明する。図１は本発明の第二実施形態に係る弾性編み生地の一部の概略を示す斜視図であり、図２は図１（ａ）に示す本発明の第二実施形態に係る弾性編み生地の部分断面図である。
【００１４】
第二実施形態に係る弾性編み生地（１）は、弾性を有する基本編地の表面に凹凸部が形成されている。凹凸部の形態は特に限定されないが、図１（ａ）に示すようなストライプ状、或いは図１（ｂ）に示すような半球状の凸部（１０）が格子状に配列して凸部（１０）と凹部（１１）が形成された形態を例示することができる。
第二実施形態に係る弾性編み生地（１）の編み組織は特に限定されないが、トリコット編み、ミラニーズ編み、ラッセル編み等を例示することができ、好ましい基本編地は、ラッセル編みである。
【００１５】
第二実施形態に係る弾性編み生地（１）の表面に形成される凹凸部は、弾性編み生地の両面に形成することもできるが、一方の面に形成することが好ましい。この理由は、例えば、第二実施形態に係る弾性編み生地を用いて下着を製造した際、編み生地の両面に凹凸部が形成されていると、下着の両面に凹凸部が現れることになり、特にタイトな衣服を着用した場合に凹凸部が目立つようなり、好ましくないからである。
【００１６】
弾性編み生地の表面に形成される凹凸部は、凸部（１０）の弾性が凹部（１１）の弾性に比べて大きくなるように構成される。
こうすることで、生地全体に適度な弾性を有する弾性編み生地を得ることができる。
弾性編み生地の表面に凹凸部を形成するには、例えば、基本編地と異なる編み方、例えば凸部は袋編みして、その凸部の下部は主に非弾性繊維、その凸部の上部は主に弾性繊維を使用することによって、生地表面に凹凸部を形成すればよい。
【００１７】
凹部（１１）を構成する編み生地に交編される繊維としては、ナイロン、ポリエステル等を例示することができる。
また凸部（１０）を構成する編み生地に交編される繊維としては、弾性繊維として、ポリウレタン弾性繊維、ナイロンやポリエステル等の長繊維、非弾性繊維として、綿、レーヨン等の紡績糸を例示することができる。
【００１８】
凹凸部の大きさは特に限定されないが、図１（ａ）に示すようなストライプ状の凹凸部を形成する場合、凹部（１１）の幅は特に限定されないが、１〜６ｍｍ、好ましくは２〜５ｍｍ程度とされる。また凸部（１０）の幅は特に限定されないが、１〜６ｍｍ、好ましくは２〜５ｍｍ程度とされる。
さらに、凹部（１１）と凸部（１０）の高さの差は、０．０１〜３ｍｍ、より好ましくは０．１〜１．５ｍｍとされる。
また図１（ｂ）に示すような半球状の凸部（１０）を形成する場合、凸部（１０）の幅は、１〜６ｍｍ、より好ましくは２〜５ｍｍ程度とされ、凸部（１０）同士の間隔を１〜６ｍｍ、より好ましくは２〜５ｍｍ程度設ければよい。
上述のように、編み生地の表面に凹凸部を形成することによって、例えば、この弾性編み生地から下着を製造した場合、着用者の皮膚を適度にマッサージすることができる。
【００１９】
図１（ａ）で示される第二実施形態に係る弾性編み生地（１）では、生地表面にストライプ状の凹凸部が形成されるが、ストライプ状の凹凸部は、生地の経方向に沿って形成してもよく、また生地の横方法に沿って形成しても構わないが、生地の経方向に沿って形成することが好ましい。
【００２０】
第二実施形態に係る弾性編み生地（１）を５０％引き伸ばした際の荷重値（幅１ｃｍ当り）は、特に限定されないが、第二実施形態に係る弾性編み生地を経方向に引き伸ばした場合１．００〜４．００Ｎ、好ましくは１．２０〜２．５０Ｎとされる。
また第二実施形態に係る弾性編み生地（１）を横方向に引き伸ばした場合１．５０〜６．００Ｎ、好ましくは２．００〜４．５０Ｎとされる。
５０％引き伸ばし時の荷重値（幅１ｃｍ当り）を上記のような範囲内とすることで、適度は被服圧を有する弾性編み生地とすることができる。
【００２１】
第二実施形態に係る弾性編み生地（１）は、生地表面に凹凸部が形成されているから、適度な被服圧によって、皮膚マッサージ効果を得ることができる。
【００２２】
次に、第三実施形態に係る弾性編み生地について説明する。第三実施形態に係る編み生地は、上記した第一及び第二実施形態に係る弾性編み生地を構成する繊維に、皮膚又は鼻腔から吸収されて脂肪燃焼を促進、または脂肪の吸収を抑制することができる成分（以下、単に脂肪燃焼成分という。）が付着されている。
皮膚から吸収されて脂肪燃焼を促進、または脂肪の吸収を抑制することができる成分としては、カフェイン、クマリン類、フロクマリン類、フタライド類等のラクトン類、ケトン類等を例示することができる。
また鼻腔から吸収されて脂肪燃焼を促進、または脂肪の吸収を抑制することができる成分としては、天然香料や合成香料等の各種香料を例示することができる。
特に本発明では、脂肪燃焼成分として、ラクトン類を使用することが好ましい。
【００２３】
上記した成分を繊維に付着させる方法は特に限定されず、例えば、各成分を無機担体などに担持させたものを繊維中に配合する方法や、上記した成分を徐放性のカプセル状に加工して繊維中に配合する方法などを例示することができる。
また耐洗濯性を向上するために、アクリル樹脂エマルション等を使用して上記した成分を繊維中に付着させることもできる。
【００２４】
脂肪燃焼成分を第一及び第二実施形態に係る弾性編み生地に含有する場合、弾性編み生地に含有する量は特に限定されないが、弾性編み生地の全量中に、０．５〜５．０重量％、好ましくは１．０〜２．０重量％程度を配合すればよい。０．５重量％未満の付着量では、脂肪燃焼、脂肪吸収抑制効果を示すことができない場合がある。５．０重量％を超えて添加しても、それ以上の効果が現れない場合がある。
【００２５】
第三実施形態に係る弾性編み生地は、第一実施形態及び第二実施形態に係る弾性編み生地に、脂肪燃焼成分を付着させることにより、第一実施形態及び第二実施形態に係る弾性編み生地による皮膚マッサージ効果とあいまって、脂肪燃焼効果及び脂肪吸収抑制効果を発揮して、高いダイエット効果を得ることができる。従来の皮膚マッサージ効果をうたった下着に使用される弾性編み生地は、着用者が運動を行っている場合は、ある程度の皮膚マッサージ効果を発揮して、ダイエット効果を示すことができるが、着用者が運動を行っていない場合は、ダイエット効果を発揮することができなかった。
本発明の第三実施形態に係る弾性編み生地は、脂肪燃焼成分を付着させたことによって、着用者が運動している場合には、弾性編み生地による皮膚マッサージ効果と脂肪燃焼成分による脂肪燃焼、脂肪吸収抑制効果によって優れたダイエット効果を発揮することができる。さらに着用者が運動を行っていない場合でも、脂肪燃焼成分による脂肪燃焼、脂肪吸収抑制効果によって、ダイエット効果を発揮することができ、着用者が本発明に係る下着を着用しているときは常にダイエット効果を発揮することができる。
【００２６】
次に、本発明に係る下着について説明する。
まず、第一実施形態に係る下着について説明する。本発明の第一実施形態に係る下着は、上述した第一実施形態に係る弾性編み生地を含有する編み生地から構成される。
図３及び図４は、第一実施形態に係る下着を示す平面図であり、図３はショーツ、図４はガードルの形態に形成されている。図５及び６は、第一実施形態に係る下着を着用した状態を示す図であり、図５は図３に示されるショーツを、図６は図４に示されるガードルを着用した状態を示す図である。
【００２７】
図３及び図５に示されるショーツ（２）は、前身頃と後身頃から形成されるショーツ本体（２０）と、ショーツ本体（２０）の上部開口部周縁部（胴回り部）に設けられたベルト部（２１）と、ショーツ本体（２０）の股回り部に設けられたレース装飾部（２２）とから構成される。
図３及び図５に示されるショーツ（１）においては、ベルト部（２１）及びレース装飾部（２２）以外の部分が第一実施形態に係る弾性編み生地から構成されている。
【００２８】
図４及び図６に示されるガードル（３）の場合、前身頃と後身頃から形成されるガードル本体（３０）と、ガードル本体（３０）の上部開口部周縁部（胴回り部）に設けられたベルト部（３１）と、ガードル本体（３０）の脚回り部に設けられたレース装飾部（３２）とから構成される。
図４及び図６に示されるガードル（３０）においては、ベルト部（３１）及びレース装飾部（３２）以外の部分が第一実施形態に係る弾性編み生地から構成されている。
【００２９】
図３及び図５に示されるショーツ（２）の場合、ショーツ本体（２０）が第一実施形態に係る弾性編み生地から構成されるが、ショーツ本体（２０）の周方向が第一実施形態に係る弾性編み生地の横方向と一致するように構成されている。
【００３０】
図４及び図６に示されるガードル（３）の場合、ガードル本体（３０）が第一実施形態に係る弾性編み生地から構成されるが、ガードル本体（３０）の周方向が第一実施形態に係る弾性編み生地の横方向と一致するに構成されている。
【００３１】
第一実施形態に係る下着は、弾性編み生地による弾性によって皮膚を適度な被服圧で圧迫することにより、皮膚マッサージ効果を得ることができる。この皮膚マッサージ効果によって、血液やリンパの流れが促進されて新陳代謝を促進することができる。
また第一実施形態に係る下着は、皮膚を適度は被服圧で圧迫することによるものであるから、歩行や運動しているときは勿論、椅子に着座して運動していない場合でも皮膚刺激を継続して与えることができ、常に、皮膚刺激を行うことが可能である。
第一実施形態に係る下着は、従来の皮膚マッサージ効果を謳った下着と異なり、皮膚と接触する面に凹凸が設けられていないので、皮膚に凹凸の後が残ることが無い。第一実施形態に係る下着は、従来のようにその表面に凹凸が形成されていないので、例えば、タイトスカートやスリムジーンズを着用する場合でも、外観を気にすることなく着用することができる。
【００３２】
次に、第二実施形態に係る下着について説明する。本発明の第二実施形態に係る下着は、上述した第二実施形態に係る弾性編み生地を含有する編み生地から構成される。
図７及び図８は、第二実施形態に係る下着を示す平面図であり、図７はショーツ、図８はガードルの形態に形成されている。図９及び図１０は、第二実施形態に係る下着を着用した状態を示す図であり、図９は図７に示されるショーツを、図１０は図８に示されるガードルを着用した状態を示す図である。尚、図７〜１０で示される下着では、ストライプ状に凹凸部が形成されている弾性編み生地を使用した場合について例示している。
【００３３】
図７及び図９に示されるショーツ（４）は、前身頃と後身頃から形成されるショーツ本体（４０）と、ショーツ本体（４０）の上部開口部周縁部（胴回り部）に設けられたベルト部（４１）と、ショーツ本体（４０）の股回り部に設けられたレース装飾部（４２）とから構成される。
図７及び図９に示されるショーツ（４）においては、ベルト部（４１）及びレース装飾部（４２）以外の部分が第二実施形態に係る弾性編み生地から構成されている。
【００３４】
図８及び図１０に示されるガードル（５）の場合、前身頃と後身頃から形成されるガードル本体（５０）と、ガードル本体（５０）の上部開口部周縁部（胴回り部）に設けられたベルト部（５１）と、ガードル本体（５１）の脚回り部に設けられたレース装飾部（５２）とから構成される。
図８及び図１０に示されるガードル（５）においては、ベルト部（５１）及びレース装飾部（５２）以外の部分が第二実施形態に係る弾性編み生地から構成されている。
【００３５】
第二実施形態に係る下着において、第二実施形態に係る弾性編み生地表面に設けられる凹凸部は、少なくとも下着の内面側に形成され、好ましくは下着の内面側にのみ形成される。
下着の内面側にのみ形成されることによって、例えばタイトスカートやスリムジーンズなどを着用した場合でも、凹凸が目立ち難くなる。
【００３６】
図７及び図９で示されるショーツ（４）の場合、ショーツ（４）の着用者の腹部近傍と接触する部分に形成されるストライプ状の凹凸部は、ショーツを着用した場合に着用者の正中線近傍となる部分から左右斜め上方に向かうように構成されている。その他の部分では、ストライプ状の凹凸部は、ショーツ（４）の周方向と一致するように構成されている。
図８及び図１０で示されるガードル（５）の場合、ストライプ状の凹凸部は、ガードル（５）の周方向と一致するように構成されている。
【００３７】
図７及び図９に示されるショーツ（４）の場合、ショーツ本体（４０）が第二実施形態に係る弾性編み生地から構成されるが、ショーツ本体（４０）の周方向が第二実施形態に係る弾性編み生地の経方向と一致するに構成されている。
【００３８】
図８及び図１０に示されるガードル（５）の場合、ガードル本体（５０）が第二実施形態に係る弾性編み生地から構成されるが、ガードル本体（５０）の周方向が第二実施形態に係る弾性編み生地の経方向と一致するに構成されている。
【００３９】
第二実施形態に係る下着は、着用者の皮膚と接触する面に凹凸部が形成されているために、着用者が動くたびに、下着内面に形成された凹部と凸部が皮膚に刺激を与えて皮膚マッサージ効果を与えることができる。これによって、新陳代謝を高めることができるとともに、血行を促進することができる。身体を動かすたびに、皮膚刺激が与えられるので、皮下脂肪が軽減するという効果を得ることができる。
尚、ストライプ状に凹凸部が形成されている下着について説明したが、他の形態の凹凸部、例えば半球状の凸部が格子状に形成された弾性編み生地を使用した下着についても、上述と同様に構成することができる。
【００４０】
次に、第三実施形態に係る下着について説明する。第三実施形態に係る下着は、上述した第三実施形態に係る弾性編み生地から構成される。
第三実施形態に係る弾性編み生地から構成されることによって、第三実施形態に係る下着は、着用者の脂肪燃焼促進効果や脂肪吸収抑制効果を有する。
従来の皮膚マッサージ効果を謳った下着は、着用者が動くことによって皮膚マッサージ効果を与えることができるものであるが、第三実施形態に係る下着は、着用者が動いている場合は、弾性編み生地による皮膚マッサージ効果によって、着用者の新陳代謝を高めることができるとともに、着用者が動いていない場合でも、脂肪分解成分の働きによって着用者の脂肪燃焼を促進することができ、より高いダイエット効果を得ることができる。
【００４１】
以上説明した以外の構成については、第一及び第二実施形態に係る下着と同様であり、説明を省略する。
【００４２】
上述した第一乃至第三実施形態に係る下着では、ショーツ及びガードルの形態について、図面を参照しつつ説明したが、下着の形態はこれに限定されるものではなく、この他にも例えば、タンクトップ、ウェストニッパー、ボディースーツ、スパッツ、パンティストッキング、タイツなどを例示することができ、女性用のインナーウェアーの形態とすることがより好ましい。
【００４３】
【実施例】
以下、本発明を実施例に基づき説明するが、本発明はこれらの実施例に何ら限定されるものではない。
＜実施例１の試料の調製＞
綿２６％、レーヨン２６％、ナイロン３８％、ポリウレタン弾性糸１０％の混合糸を使用して丸編み機によって平編みの編み組織の弾性編み生地を製造した。これを実施例１の弾性編み生地とした。
【００４４】
＜実施例２の試料の調製＞
ナイロン５５％、綿１０％、ポリウレタン弾性糸３５％の混合糸を使用してラッセル機によってラッセル編みの編み組織の弾性編み生地を製造した。これを実施例２の弾性編み生地とした。
【００４５】
＜試験例１＞
上記調製した実施例１及び２の各試料について、各試料を５０％及び１００％伸長した際の荷重値（幅１ｃｍ当り）を測定した。結果を表１に記載する。
【００４６】
【表１】
2004323996.tif 000003
【００４７】
【発明の効果】
以上詳述した如く、請求項１に係る弾性編み生地は、適度な被服圧を生じることによって、皮膚マッサージ効果を与えることができる。また従来の弾性編み生地のように波型の凹凸部が形成されていないから、皮膚の弱い人でも安心して着用することが可能である。
請求項２に係る弾性編み生地は、凹凸部が形成されているから、着用者が運動することによって、凹凸部が皮膚を適度に刺激して、皮膚マッサージ効果を与えることができる。
請求項３に係る弾性編み生地は、凹凸部が弾性編み生地の一方の面にのみ形成されているから、凹凸が目立たない。
請求項４に係る弾性編み生地は、脂肪燃焼成分が付着しているので、弾性編み生地による皮膚マッサージ効果と相まって、優れたダイエット効果を生じることができる。
請求項５に係る下着は、適度な被服圧によって着用者の皮膚を刺激して、皮膚マッサージ効果を生じることができ、連続して着用することによって、優れたダイエット効果が得られる。
【図面の簡単な説明】
【図１】第二実施形態に係る弾性編み生地の概略を示す斜視図であり、（ａ）はストライプ状の凹凸部が形成された弾性編み生地、（ｂ）は半球状の凸部が格子状に配列した弾性編み生地である。
【図２】第二実施形態に係る弾性編み生地の断面図である。
【図３】第一実施形態に係る下着の平面図である。
【図４】第一実施形態に係る下着の平面図である。
【図５】第一実施形態に係る下着を着用した状態を示す図である。
【図６】第一実施形態に係る下着を着用した状態を示す図である。
【図７】第二実施形態に係る下着の平面図である。
【図８】第二実施形態に係る下着の平面図である。
【図９】第二実施形態に係る下着を着用した状態を示す図である。
【図１０】第二実施形態に係る下着を着用した状態を示す図である。
【符号の説明】
１      第二実施形態に係る編み生地
１０    凸部
１１    凹部
２      ショーツ
２０    ショーツ本体
２１    ベルト部
２２    レース装飾部
３      ガードル
３０    ガードル本体
３１    ガードル本体
３２    レース装飾部
４      ショーツ
４０    ショーツ本体
４１    ベルト部
４２    レース装飾部
５      ガードル
５０    ガードル本体
５１    ガードル本体
５２    レース装飾部
【図１】
2004323996.tif 000004
【図２】
2004323996.tif 000005
【図３】
2004323996.tif 000006
【図４】
2004323996.tif 000007
【図５】
2004323996.tif 000008
【図６】
2004323996.tif 000009
【図７】
2004323996.tif 000010
【図８】
2004323996.tif 000011
【図９】
2004323996.tif 000012
【図１０】
2004323996.tif 000013